(57)【要約】【課題】表示品質が向上された曲面表示装置を提供する。【解決手段】表示装置の表示パネルは映像が表示され、第１区間、第２区間、及び第３区間が順に定義された表示領域を有する。前記表示パネルは、前記第２区間で前記第１方向に沿って第１曲率半径で曲がった形状を有し、前記表示パネルは前記第１及び第３区間の各々で平坦な形状又は前記第１曲率半径と異なる曲率半径で曲がった形状を有する。前記第１乃至第３区間の長さの合計に対する前記第１及び第３区間の各々の長さは１％以上３５％以下である。【選択図】図３Ｂ
2015197680.tif 000002
【特許請求の範囲】
【請求項１】
映像が表示され、第１区間、第２区間、及び第３区間が順に定義された表示領域を有する表示パネルを含み、
前記表示パネルは、
前記第２区間で第１方向に沿って第１曲率半径で曲がった形状を有し、
前記第１及び第３区間の各々で平坦な形状又は前記第１曲率半径と異なる曲率半径で曲がった形状を有し、
前記第１乃至第３区間の長さの合計に対する前記第１及び第３区間の各々の長さは、１％以上３５％以下であることを特徴とする表示装置。
【請求項２】
前記第１乃至第３区間の長さの合計に対する前記第１及び第３区間の各々の長さは、１０％以上２５％以下であることを特徴とする請求項１に記載の表示装置。
【請求項３】
前記第１乃至第３区間は、前記表示パネルの長辺の方向に沿って順に定義されていることを特徴とする請求項１に記載の表示装置。
【請求項４】
前記長辺は、
前記第１区間で第１直線の形状を有し、
前記第２区間で前記第１曲率半径で曲がった曲線の形状を有し、
前記第３区間で第２直線の形状を有することを特徴とする請求項３に記載の表示装置。
【請求項５】
前記曲線及び前記第１直線は、第１ポイントで接続され、
前記曲線及び前記第２直線は、第２ポイントで接続され、
前記第１直線は、前記第１ポイントにおける前記曲線及び前記第１ポイントと前記第２ポイントとから延長され、前記第１曲率半径を有する仮想曲線の接線であり、
前記第２直線は、前記第２ポイントにおける前記曲線及び前記仮想曲線の接線であることを特徴とする請求項４に記載の表示装置。
【請求項６】
前記表示パネルは、
前記第２区間に位置して前記第１方向に沿って曲がった屈曲部と、
前記第１区間に位置して前記屈曲部の一側に位置し、平坦な形状を有する第１平坦部と、
前記第３区間に位置して前記屈曲部の他側に位置し、平坦な形状を有する第２平坦部と、含むことを特徴とする請求項４に記載の表示装置。
【請求項７】
前記第１平坦部は、前記屈曲部を介して前記第２平坦部と対称である形状を有し、前記屈曲部は、前記第１平坦部と前記第２平坦部との間に位置することを特徴とする請求項６に記載の表示装置。
【請求項８】
前記第１区間の長さは、前記第３区間の長さと同一であることを特徴とする請求項７に記載の表示装置。
【請求項９】
前記第１平坦部は、前記屈曲部を介して前記第２平坦部と非対称である形状を有し、前記屈曲部は、前記第１平坦部及び前記第２平坦部の間に位置することを特徴とする請求項６に記載の表示装置。
【請求項１０】
前記第１区間の長さは、前記第３区間の長さと異なることを特徴とする請求項９に記載の表示装置。
【請求項１１】
前記長辺は、
前記第１区間で前記第１曲率半径と異なる第２曲率半径で曲がった第１補助曲線の形状を有し、
前記第２区間で前記第１曲率半径で曲がった曲線形状を有し、
前記第３区間で前記第２曲率半径で曲がった第２補助曲線の形状を有することを特徴とする請求項３に記載の表示装置。
【請求項１２】
前記第２曲率半径は、前記第１曲率半径より大きいことを特徴とする請求項１１に記載の表示装置。
【請求項１３】
前記表示パネルは、
前記第１区間に位置し、前記第１方向に沿って前記第２曲率半径で曲がった第１補助屈曲部と、
前記第２区間に位置し、前記第１方向に沿って前記第１曲率半径で曲がった屈曲部と、
前記第３区間に位置し、前記第１方向に沿って前記第２曲率半径で曲がった第２補助屈曲部と、を含むことを特徴とする請求項１１に記載の表示装置。
【請求項１４】
前記第１補助屈曲部は、前記屈曲部を介して前記第２補助屈曲部と対称である形状を有し、前記屈曲部は、前記第１補助屈曲部及び前記第２補助屈曲部の間に位置することを特徴とする請求項１３に記載の表示装置。
【請求項１５】
前記表示パネルは、互いに対向して配置された２つのガラス基板及び前記２つのガラス基板の間に配置された液晶層を含むことを特徴とする請求項１に記載の表示装置。
【請求項１６】
前記表示領域は、前記第２区間で凹んだ曲面形状を有することを特徴とする請求項１に記載の表示装置。
【請求項１７】
前記表示パネルの角のうち少なくとも１つに配置された補助支持部材をさらに含むことを特徴とする請求項１に記載の表示装置。
【請求項１８】
前記表示パネルと結合して前記表示パネルを支持する支持部材をさらに含み、
前記支持部材は、前記第２区間に対応して前記第１方向に沿って曲がり、前記第１及び第３区間の各々に対応して直線状に延長されていることを特徴とする請求項１に記載の表示装置。
【請求項１９】
前記表示領域に対応する部分が開口され、前記表示パネルをカバーするカバー部材をさらに含み、
前記カバー部材は、前記第２区間に対応して前記第１方向に沿って曲がり、前記第１及び第３区間の各々に対応して直線状に延長されていることを特徴とする請求項１８に記載の表示装置。
【請求項２０】
前記支持部材及び前記カバー部材の各々は、前記第２区間に対応して前記第１曲率半径で曲がっていることを特徴とする請求項１９に記載の表示装置。
【請求項２１】
前記表示パネルと結合して前記表示パネルを支持する支持部材と、
前記表示領域に対応する部分が開口され、前記表示パネルをカバーするカバー部材と、をさらに含み、
前記支持部材及び前記カバー部材は、前記第１乃至第３区間に対応して前記第１方向に沿って曲がった形状を有することを特徴とする請求項６に記載の表示装置。
【請求項２２】
前記カバー部材及び前記表示パネルの間のギャップに配置され、前記第１及び第２区間の間と前記第２及び第３区間のと間の境界に隣接して前記表示パネル及び前記カバー部材と接触する第１スペーサーと、
前記支持部材及び前記表示パネルの間のギャップに配置され、前記第１及び第２区間の間と前記第２及び第３区間との間の境界に隣接して前記支持部材及び前記表示パネルと接触する第２スペーサーと、をさらに含むことを特徴とする請求項２１に記載の表示装置。
【請求項２３】
前記第１及び第２区間の間と前記第２及び第３区間との間との境界に対応する前記支持部材の一部分は、他の前記支持部材と異なる厚さを有する、又は、前記第１及び第２区間の間と前記第２及び第３区間との間との境界に対応する前記カバー部材の一部分は、他の前記カバー部材と異なる厚さを有し、
前記支持部材の一部分及び前記カバー部材の一部分は、前記第１平坦部、前記屈曲部、及び前記第２平坦部と接触されることを特徴とする請求項２１に記載の表示装置。
【請求項２４】
前記表示パネルは、基板及び前記基板上に配置された有機発光層を含むことを特徴とする請求項１に記載の表示装置。
【発明の詳細な説明】
【技術分野】
【０００１】
本発明は曲面表示装置に関し、より詳細には曲面の表示領域を有する曲面表示装置に関する。
【背景技術】
【０００２】
平板表示装置はＴＶ、モニター、ノート型コンピューター、及び携帯電話等の多様な情報処理装置に映像を表示する用途として使用されている。最近は、曲がった形状を有する曲面表示装置が開発されており、その曲面表示装置は曲面の形状を有する表示領域を提供することで使用者に立体感、没入感、及び臨場感が向上した映像を提供することができる。
【先行技術文献】
【特許文献】
【０００３】
【特許文献１】米国特許第８２１２９７０号明細書
【特許文献２】米国特許第７８４７９１２号明細書
【特許文献３】米国特許出願公開第２０１３／０３２１７４０号明細書
【特許文献４】特開第２０１１−０８５７４０号公報
【特許文献５】特開第２０１３−０５０５３５号公報
【発明の概要】
【発明が解決しようとする課題】
【０００４】
本発明の目的は表示品質が向上された曲面表示装置を提供することにある。
【課題を解決するための手段】
【０００５】
上述した本発明の目的を達成するために、本発明による曲面表示装置は、表示パネルを含み、表示パネルは、映像が表示され、第１方向に第１区間、第２区間、及び第３区間が順に定義された表示領域を有する。
【０００６】
また、表示パネルは、第２区間で第１方向に沿って第１曲率半径で曲がった（ｃｕｒｖｅｄ又は湾曲した）形状を有し、表示パネルは、第１及び第３区間の各々でフラット（ｆｌａｔ又は平坦）な形状又は第１曲率半径と異なる曲率半径で曲がった形状を有し、第１乃至第３区間の長さの合計に対する第１及び第３区間の各々の長さは１％以上３５％以下であってもよい。
【０００７】
本発明の実施形態では、第１乃至第３区間の長さの合計に対する前記第１及び第３区間の各々の長さは１０％以上２５％以下であってもよい。
【０００８】
本発明の実施形態では前記第１乃至第３区間は、前記表示パネルの長辺の方向に沿って順に定義されてもよい。
【発明の効果】
【０００９】
本発明による曲面表示装置において、表示パネルの中央部は曲率半径で曲がり、表示パネルのエッジ部は平坦であるか、或いは前記曲率半径より大きい曲率半径で曲がっている。したがって、表示パネルの一部が同一の曲率半径で一律的に曲がっていることによって、表示パネルのエッジ部にストレスが集中されることが防止又は緩和されて、ストレスによって表示パネルの表示品質が低下されることを防止することができる。
【００１０】
また、本発明の実施形態で提示される範囲内に示す比率が、表示パネルの全体区間に対する直線区間の比率に適用される場合に、ストレスによって表示パネルで発生する光漏れの輝度が最少化される顕著な効果を得ることができる。その結果、曲面表示装置の表示領域で視認される光漏れが最少化されて表示領域に表示される映像のコントラスト比（ｃｏｎｔｒａｓｔ  ｒａｔｉｏ）を向上させることができる。
【００１１】
また、本発明の実施形態で提示される範囲内に示す比率が、表示パネルの全体区間に対する直線区間の比率に適用される場合に、光漏れと関連した不良によって表示パネルの収率が減少されず、曲面表示装置の表示品質の良品及び不良の判断の基準になる光漏れの輝度の値がより低く設定することができる。したがって、使用者に全般的にコントラスト比が向上された曲面表示装置が提供されることができる。
【図面の簡単な説明】
【００１２】
【図１Ａ】本発明の一実施形態による曲面表示装置の斜視図である。
【図１Ｂ】図１Ａに図示された曲面表示装置の上面図である。
【図１Ｃ】図１Ａに図示された曲面表示装置の側面図である。
【図２Ａ】図１Ａに図示された曲面表示装置の分解斜視図である。
【図２Ｂ】図２Ａに図示されたＩ−Ｉ’に沿って切断した面を示す断面図である。
【図３Ａ】図２Ａに図示された表示パネルの拡大図である。
【図３Ｂ】図３Ａに図示された表示パネルの側面図である。
【図４Ａ】本発明の比較例による曲面表示装置の表示領域の領域別に現れる輝度を示す図面である。
【図４Ｂ】本発明の比較例による曲面表示装置の表示領域の領域別に現れる輝度を示す図面である。
【図４Ｃ】本発明の実施形態による曲面表示装置の表示領域の領域別に現れる輝度を示す図面である。
【図４Ｄ】本発明の実施形態による曲面表示装置の表示領域の領域別に現れる輝度を示す図面である。
【図５】図２Ａに図示された表示パネル、支持部材、及びカバー部材の間の結合関係を示す分解斜視図である。
【図６Ａ】本発明の他の実施形態による曲面表示装置が有する表示パネルの斜視図である。
【図６Ｂ】図６Ａに図示された表示パネルの側面図である。
【図７Ａ】本発明の他の実施形態による曲面表示装置が有する表示パネル、支持部材、及びカバー部材の間の結合関係を示す分解斜視図である。
【図７Ｂ】図７ＡのＩＩ−ＩＩ’に沿って切断した断面を示す断面図である。
【図８Ａ】本発明のその他の実施形態による曲面表示装置が有する表示パネル、支持部材及びカバー部材の間の結合関係を示す分解斜視図である。
【図８Ｂ】図８ＡのＩＩＩ−ＩＩＩ’に沿って切断した断面を示す断面図である。
【図９】本発明のその他の実施形態による曲面表示装置が有する表示パネルの斜視図である。
【発明を実施するための形態】
【００１３】
以下、添付した図面を参照して本発明の実施形態を詳細に説明する。上述した本発明の目的、特徴、及び効果は図面に関連された実施形態を通じて容易に理解できる。但し、本発明はここで説明される実施形態に限定されなく、多様な形態に応用されて変形されることもあり得る。むしろ、後述される本発明の実施形態は本発明によって開示された技術思想をより明確にし、さらに本発明が属する分野で平均的な知識を有する当業者に本発明の技術思想が十分に伝達されるように提供される。したがって、本発明の範囲が後述される実施形態によって限定されることとして解釈されてはならない。一方、下記の実施形態と図面上に同一の参照番号は同一の構成要素を示す。
【００１４】
また、本明細書で‘第１’、‘第２’等の用語は限定的な意味ではなく、１つの構成要素を他の構成要素と区別する目的として使用されている。また、膜、領域、構成要素等の部分が他の部分‘上に’又は‘上方に’あるとする時、他の部分直ちに上にある場合のみならず、その間に他の膜、領域、構成要素等が配置されている場合も含む。
【００１５】
図１Ａは本発明の一実施形態による曲面表示装置の斜視図であり、図１Ｂは図１Ａに図示された曲面表示装置の上面図であり、図１Ｃは図１Ａに図示された曲面表示装置の側面図である。
【００１６】
図１Ａ、図１Ｂ、及び図１Ｃを参照すれば、曲面表示装置６００は第１方向ＤＲ１に沿って部分的に曲がった形状を有し、曲面表示装置６００は部分的に曲面の形状を有する表示領域ＤＡを提供する。より詳細には、上面図（図１Ｂ）において、表示領域ＤＡに第１区間Ｓ１、第２区間Ｓ２、及び第３区間Ｓ３が順に定義される。第２区間Ｓ２は曲線の形状を有し、第１区間Ｓ１及び第３区間Ｓ３の各々は直線の形状を有する。また、第１区間Ｓ１及び第３区間Ｓ３の各々で表示領域ＤＡは平坦な形状を有し、第２区間Ｓ２で表示領域ＤＡは曲面の形状を有する。
【００１７】
この実施形態では、第２区間Ｓ２で表示領域ＤＡが凹んだ曲面の形状を有しているが、他の実施形態では第２区間Ｓ２で表示領域ＤＡが膨らんだ曲面の形状を有することができる。
【００１８】
曲面表示装置６００は収納部材５８０、表示パネル５２０、支持部材５３０、及びカバー部材５１０を含む。この実施形態では、表示パネル５２０は液晶表示パネルであり、曲面表示装置６００は収納部材５８０の内部に収納されて表示パネル５２０側に光を出力するバックライトアセンブリー（図２Ａの５００）をさらに含む。
【００１９】
この実施形態では表示パネル５２０は液晶表示パネルであるが、本発明は表示パネル５２０は液晶表示パネルに限定されない。例えば、他の実施形態では表示パネル５２０は有機電界発光表示パネル及びナノクリスタル（ｎａｎｏ−ｃｒｙｓｔａｌ）表示パネルのような他の種類の表示パネルであってもよい。
【００２０】
この実施形態では曲面表示装置６００の形状のように表示パネル５２０は第１方向ＤＲ１に沿って部分的に曲がった形状を有する。より詳細には、第２区間Ｓ２に対応して表示パネル５２０は第１方向ＤＲ１に沿って曲がった形状を有し、第１区間Ｓ１及び第３区間Ｓ３の各々に対応して表示パネル５２０は平坦な形状を有する。
【００２１】
この実施形態では、第１区間Ｓ１、第２区間Ｓ２、及び第３区間Ｓ３は表示パネル５２０の長辺Ｅ１の方向に順に定義されて、長辺Ｅ１が第１方向ＤＲ１に沿って部分的に曲がっている。また、表示パネル５２０の短辺Ｅ２は第１方向ＤＲ１と交差する第２方向ＤＲ２に直線形状を有し、第１方向ＤＲ１は第２方向ＤＲ２と垂直である。
【００２２】
収納部材５８０は表示パネル５２０を収納する。また、カバー部材５１０は表示パネル５２０を収納した収納部材５８０と結合され、表示領域ＤＡに対応して開口された形状を有し、表示パネル５２０の枠をカバーする。したがって、表示パネル５２０の枠はカバー部材５１０によってカバーされ、表示領域ＤＡは外部へ露出される。
【００２３】
図２Ａは図１Ａに図示された曲面表示装置の分解斜視図であり、図２Ｂは図２Ａに図示されたＩ−Ｉ’に沿って切断した面を示す断面図である。
【００２４】
図２Ａ及び図２Ｂを参照すれば、曲面表示装置６００は表示パネル５２０、バックライトアセンブリー５００、収納部材５８０、支持部材５３０、及びカバー部材５１０を含む。
【００２５】
表示パネル５２０は第１基板５２１、第２基板５２２、及び第１基板５２１及び第２基板５２２の間に配置される液晶層ＬＣを含む。この実施形態では、第１基板５２１の上に多数の画素が配置され、多数の画素の各々は画素電極（図示せず）及び画素電極側に配置される駆動信号をスイッチングする薄膜トランジスタ（図示せず）を含む。また、第２基板５２２の上に共通電極（図示せず）及びカラーフィルター（図示せず）が配置され、共通電極は多数の画素電極と共に液晶層ＬＣに作用する電界を形成し、カラーフィルターはバックライトアセンブリー５００から出力される光をカラー光にフィルタリングする。
【００２６】
この実施形態では多数の画素が上述した構造を有するが、本発明が多数の画素の構造に限定されることではない。例えば、他の実施形態ではカラーフィルターは第１基板５２１の上に配置され、共通電極は画素電極と共に第１基板５２１の上に配置されてもよい。
【００２７】
この実施形態では第１基板５２１及び第２基板５２２の各々はガラス基板であってもよく、ポリイミド（ｐｏｌｙｉｍｉｄｅ）基板のようなプラスチック基板であってももよい。
【００２８】
バックライトアセンブリー５００は収納部材５８０に収納されて表示パネル５２０側に光を出力する。この実施形態による曲面表示装置６００に適用されるバックライトアセンブリー５００の構造１つを挙げて説明すれば、次の通りである。
【００２９】
バックライトアセンブリー５００は第１発光ユニットＬＳ１、第２発光ユニットＬＳ２、導光板５５０、反射板５７０、及び多数のシート５４０を含む。
【００３０】
第１発光ユニットＬＳ１及び第２発光ユニットＬＳ２の各々は光を発生する。この実施形態では、第１発光ユニットＬＳ１及び第２発光ユニットＬＳ２の各々は印刷回路基板ＰＢ及び印刷回路基板ＰＢ上に実装されて光を発生する多数の発光ダイオードパッケージＬＧを含む。第１発光ユニットＬＳ１は導光板５５０の一側部に隣接するように配置され、第２発光ユニットＬＳ２は導光板５５０の他側部に隣接するように配置される。したがって、第１発光ユニットＬＳ１及び第２発光ユニットＬＳ２から発生された光は導光板５５０の両側部を通じて導光板５５０側に入射され、導光板５５０に入射された光は導光板５５０によって表示パネル５２０側にガイドされる。
【００３１】
反射板５７０はポリエチレンテレフタレート（ｐｏｌｙｅｔｈｙｌｅｎｅｔｅｒｅｐｈｔｈａｌａｔｅ、ＰＥＴ）及びアルミニウムのような光を反射する物質を含み、収納部材５８０の底部５８５と導光板５５０との間に配置される。反射板５７０は第１発光ユニットＬＳ１及び第２発光ユニットＬＳ２から発生された光を導光板５５０側に反射させる。
【００３２】
多数のシート５４０は表示パネル５２０及び導光板５５０の間に配置される。この実施形態では、多数のシート５４０は光を拡散させる拡散シート５４３、プリズムシート５４２、及び保護シート５４１を含む。拡散シート５４３は導光板５５０から出射された光を拡散させ、プリズムシート５４２は導光板５５０から出射された光を集光し、保護シート５４１は非光学的な特性を有して表示パネル５２０の背面を保護する。
【００３３】
この実施形態でバックライトアセンブリー５００は上述した構造を有するが、本発明が上述したバックライトアセンブリー５００の構造に限定されることではない。例えば、他の実施形態ではバックライトアセンブリー５００で導光板５５０が省略される代わりに、収納部材５８０の底部５８５上に多数の発光ダイオードパッケージがマトリックス状に配列されてもよく、多数の発光ダイオードパッケージ及び表示パネルの間に拡散板が配置されてもよい。
【００３４】
収納部材５８０は底部５８５及び底部５８５から延長された多数の側壁５８１を含んで収納部材５８０にバックライトアセンブリー５００が収納される収納空間を規定する。この実施形態では、表示パネル５２０の曲がった形状に対応して収納部材５８０は第１方向ＤＲ１に曲がった形状を有する。
【００３５】
支持部材５３０は表示パネル５２０のエッジ部５２５に沿って存在し、収納部材５８０の側壁５８１と結合され、支持部材５３０は表示パネル５２０と結合されて表示パネル５２０のエッジ部５２５を支持する。また、カバー部材５１０は表示パネル５２０のエッジ部５２５をカバーし、カバー部材５１０は支持部材５３０と結合され、その結果、カバー部材５１０は支持部材５３０と共に表示パネル５２０のエッジ部５２５を支持する。より詳細には、カバー部材５１０はエッジ部５２５の上部面と接触してエッジ部５２５を支持し、支持部材５３０は、多数のシート５４０を介してエッジ部５２５の下部面を支持する。したがって、カバー部材５１０及び支持部材５３０によって表示パネル５２０の屈曲した形状及び平坦な形状が維持される。これに対しては、図３Ａ及び図３Ｂを参照してより詳細に説明される。
【００３６】
図３Ａは図２Ａに図示された表示パネルの拡大図であり、図３Ｂは図３Ａに図示された表示パネルの側面図である。
【００３７】
図３Ａ及び図３Ｂを参照すれば、表示パネル５２０の長辺Ｅ１及び短辺Ｅ２を定義すれば、この実施形態では長辺Ｅ１は第１方向ＤＲ１に沿って部分的に曲がり、短辺Ｅ２は第１方向ＤＲ１と垂直である第２方向ＤＲ２に沿って延長される。
【００３８】
長辺Ｅ１が部分的に曲がることによって表示パネル５２０は曲がった部分及び平坦な部分を含む。より詳細には、表示パネル５２０に第１方向ＤＲ１に順に第１区間Ｓ１、第２区間Ｓ２、及び第３区間Ｓ３が定義される。表示パネル５２０は第１区間Ｓ１に位置して平坦な形状を有する第１平坦部Ｐ１、第２区間Ｓ２に位置して第１方向ＤＲ１に曲がった屈曲部Ｐ２、及び第３区間Ｓ３に位置して平坦な形状を有する第２平坦部Ｐ３を含む。
【００３９】
表示パネル５２０が上述した構造を有する時、長辺Ｅ１は第１区間Ｓ１で第１直線ＳＬ１として定義され、長辺Ｅ１は第３区間Ｓ３で第２直線ＳＬ２として定義され、長辺Ｅ１は第２区間Ｓ２で曲線ＭＣＬとして定義され、第１直線ＳＬ１及び第２直線ＳＬ２の各々は直線形状を有し、曲線ＭＣＬは曲線形状を有する。
【００４０】
また、第１直線ＳＬ１から延長された第１仮想線ＬＮ１が定義され、第２直線ＳＬ２から延長された第２仮想線ＬＮ３が定義され、曲線ＭＣＬから延長された仮想曲線ＬＮ２が定義される場合、第１仮想線ＬＮ１及び第２仮想線ＬＮ３の各々は直線形状を有し、仮想曲線ＬＮ２は曲線形状を有する。
【００４１】
この実施形態では、曲線ＭＣＬは１メートル以上１０メートル以下の曲率半径を有する曲線である。また、屈曲部Ｐ２は曲線ＭＣＬに沿って曲がっているので、側面図において屈曲部Ｐ２は１メートル以上１０メートル以下の曲率半径で曲がった形状を有する。
【００４２】
この実施形態で、曲線ＭＣＬは第１ポイントＰＴ１で第１直線ＳＬ１と接続し、曲線ＭＣＬは第２ポイントＰＴ２で第２直線ＳＬ２と接続する。この場合に、第１直線ＳＬ１は第１ポイントＰＴ１上で定義された曲線ＭＣＬ及び仮想曲線ＬＮ２の接線であってもよい。また、第２直線ＳＬ２は第２ポイントＰＴ２上で定義された曲線ＭＣＬ及び仮想曲線ＬＮ２の接線であってもよい。
【００４３】
本発明の実施形態と異なり、側面図において第１直線ＳＬ１及び第２直線ＳＬ２の各々が曲線ＭＣＬ及び仮想曲線ＬＮ２に対して、接線の形状ではなく、曲がった形状で接続される場合、第１直線ＳＬ１及び第２直線ＳＬ２の各々が曲線ＭＣＬと接続された位置に対応する表示パネル５２０にストレスが集中される。しかし、この実施形態では、第１直線ＳＬ１及び第２直線ＳＬ２の各々が曲線ＭＣＬ及び仮想曲線ＬＮ２と接線の形状に接続されるので、第１ポイントＰＴ１及び第２ポイントＰＴ２の位置に対応する表示パネル５２０にストレスが局部的に加えられることを防止（又は低減）することができる。
【００４４】
表示パネル５２０の中心点ＣＰが定義され、第２方向ＤＲ２と平行になって中心点ＣＰを通る仮想の中心ラインＣＬが定義される場合、この実施形態では表示パネル５２０は中心ラインＣＬに対して対称である形状を有し、第１平坦部Ｐ１は屈曲部Ｐ２を介して第２平坦部Ｐ３と対称である形状を有する。したがって、第１区間Ｓ１の第１長さＬ１が定義され、第２区間Ｓ２の第２長さＬ２が定義され、第３区間Ｓ３の第３長さＬ３が定義される場合、第１長さＬ１の長さは第３長さＬ３の長さと同一である。
【００４５】
この実施形態で表示パネル５２０が第１平坦部Ｐ１及び第２平坦部Ｐ３を有する理由は次の通りである。本発明の実施形態と異なり、表示パネル５２０の全体が所定の曲率半径で一律的に曲がる場合に、第１区間Ｓ１及び第３区間Ｓ３に対応する表示パネル５２０のエッジ部５２５がある曲率半径でまがった状態で維持されるため、エッジ部５２５にストレスが集中される。この場合に、バックライトアセンブリー（図２Ａの５００）から出力された光が第１基板５２１及び第２基板５２２のエッジ部５２５を透過するときに、光が進行する方向に沿って屈折率が異なるため、光に対する位相差（ｒｅｔａｒｄａｔｉｏｎ）が発生する。即ち、第１基板５２１及び第２基板５２２は光に対して非光学的な特性を有することが望ましいが、ストレスがエッジ部５２５に集中される場合に、第１基板５２１及び第２基板５２２で光に対する位相差が発生する。したがって、表示パネル５２０の表示領域の全体が同一の輝度で表示されるように表示パネル５２０が駆動されても、表示領域でエッジ部に隣接する領域で表示される輝度はその周辺の輝度と異なってしまう。しかし、本発明の実施形態のように、表示パネル５２０が第１区間Ｓ１及び第３区間Ｓ３に対応して第１平坦部Ｐ１及び第２平坦部Ｐ３を含む場合に、第１平坦部Ｐ１及び第２平坦部Ｐ３によってエッジ部５２５に加えられるストレスが減少される。したがって、エッジ部５２５を透過する光に対する位相差の発生が防止され、その結果位相差によって表示領域で輝度が不均一になることが抑制される。
【００４６】
第１区間Ｓ１、第２区間Ｓ２、及び第３区間Ｓ３で第１区間Ｓ１及び第３区間Ｓ３の各々が占める比率が設定することで、輝度の不均一性をさらに低減することができる。上記の比率が最適化されて表示パネル５２０に適用されると、エッジ部５２５に集中されるストレスの強度が低減されて表示領域の輝度の不均一性が防止（又は緩和）される。
【００４７】
側面図において、第１長さＬ１、第２長さＬ２、及び第３長さＬ３の合計に対する第１長さＬ１及び第３長さＬ３の各々の長さの比を直線区間比率として定義する場合に、この実施形態では直線区間比率は１％以上３５％以下である。より好ましくは直線区間比率は１０％以上２５％以下である。直線区間比率が１％未満であるか、又は３５％を超過する場合、ブラックを表示する表示領域に部分的に０．２０ｎｉｔの輝度を超過する光が表示され、表示領域に表示される映像の表示品質が低下する。これに関して、図４Ａ乃至図４Ｄを参照してより詳細に説明する。
【００４８】
この実施形態で、表示領域の大きさにしたがって導出された直線区間比率の最適値を表１に示す。
【００４９】
【表１】
2015197680.tif 000003
【００５０】
図４Ａ及び図４Ｂの各々は本発明の比較例による曲面表示装置の表示領域の領域別の輝度を示す図であり、図４Ｃ及び図４Ｄの各々は本発明の実施形態による曲面表示装置の表示領域の領域別の輝度を示す図である。
【００５１】
図４Ａを参照すれば、直線区間比率が０．１％である場合、ブラックが表示される表示領域ＤＡの輝度が第１領域ＡＲ１乃至第９領域ＡＲ９の各々にニット（ｎｉｔ）単位で表示される。第１領域ＡＲ１及び第２領域ＡＲ２は表示領域ＤＡの一端（左側）のエッジ部に定義され、第３領域ＡＲ３及び第４領域ＡＲ４は表示領域ＤＡの他端（右側）のエッジ部に定義され、第９領域ＡＲ９は表示領域ＤＡの中央に定義され、第５領域ＡＲ５及び第６領域ＡＲ６は表示領域ＤＡの中央及び一端（左側）のエッジ部の間に定義され、第７領域ＡＲ７及び第８領域ＡＲ８は表示領域ＤＡの中央及び他端（右側）のエッジ部の間に定義される。
【００５２】
図４Ａに示した結果を参照すれば、第１領域ＡＲ１及び第２領域ＡＲ２の平均輝度は約０．４４ｎｉｔであり、第３領域ＡＲ３及び第４領域ＡＲ４の平均輝度は約０．３８ｎｉｔであり、第５領域ＡＲ５乃至第８領域ＡＲ８の平均輝度は約０．３３ｎｉｔである。即ち、輝度が０．０６ｎｉｔである第９領域ＡＲ９を除外すれば、第１領域ＡＲ１乃至第８領域ＡＲ８の平均輝度は約０．３７ｎｉｔである。
【００５３】
表示領域ＤＡにおける輝度が０．２０ｎｉｔを超過される部分を光漏れとすれば、第１領域ＡＲ１乃至第８領域ＡＲ８の各々の輝度は０．２０を超過するので、第１領域ＡＲ１乃至第８領域ＡＲ８の各々に光漏れが表示されて、表示領域ＤＡで表示される映像の表示品質が低下される。
【００５４】
図４Ｂを参照すれば、直線区間比率が４０％である場合、ブラックが表示される表示領域ＤＡの輝度が第１領域ＡＲ１乃至第９領域ＡＲ９の各々にニット（ｎｉｔ）単位で表示される。この場合、第１領域ＡＲ１乃至第４領域ＡＲ４の各々の輝度は光漏れの判断基準である０．２０ｎｉｔ未満であるが、第５領域ＡＲ５乃至第８領域ＡＲ８の各々の輝度は０．２０ｎｉｔを超過する。したがって、第５領域ＡＲ５乃至第８領域ＡＲ８の各々に光漏れが表示されて、表示領域ＤＡで表示される映像の表示品質が低下される。
【００５５】
図４Ａ及び図４Ｂに示した結果を参照すれば、直線区間比率が１％未満であるか、或いは３５％を超過する場合に、表示領域ＤＡに光漏れが発生する。また、直線区間比率が１％未満である場合、表示領域ＤＡで光漏れが発生する領域は表示領域ＤＡの両端部に隣接する領域であり、直線区間比率が３５％を超過する場合、表示領域ＤＡで光漏れが発生する領域は表示領域ＤＡの中央部に隣接する領域である。
【００５６】
図４Ｃを参照すれば、直線区間比率が１５．５％である場合、ブラックが表示される表示領域ＤＡの輝度が第１領域ＡＲ１乃至第９領域ＡＲ９の各々にニット（ｎｉｔ）単位で表示される。この場合に、第１領域ＡＲ１乃至第９領域ＡＲ９の各々の輝度は光漏れの判断基準である０．２０ｎｉｔ未満である。したがって、表示領域ＤＡの全体で光漏れが表示されないので、表示領域ＤＡで表示される映像の表示品質が向上される。
【００５７】
図４Ｄを参照すれば、直線区間比率が１３％である場合、表示領域ＤＡの輝度が第１領域ＡＲ１乃至第９領域ＡＲ９の各々にニット（ｎｉｔ）単位で表示される。この場合に、第１領域ＡＲ１乃至第９領域ＡＲ９の各々の輝度は光漏れの判断基準が０．２０ｎｉｔ未満である。したがって、表示領域ＤＡの全体で光漏れが表示されないので、表示領域ＤＡで表示される映像の表示品質が向上される。
【００５８】
図４Ａ乃至図４Ｄに示した結果を参照すれば、直線区間比率が１％以上３５％以下である場合、表示領域ＤＡに光漏れが発生されることが防止又は抑制される。また、本実施形態において光漏れの判断基準が０．２０ｎｉｔであったが、図４Ａ乃至図４Ｄでは光漏れの判断基準が変更される場合であっても、光漏りが防止又は抑制することができる直線区間比率は１％以上３５％以下となる。例えば、光漏りの判断基準が０．２０ｎｉｔより小さい場合は、直線区間比率は１％以上３５％以下から１０％以上２５％以下に縮小変更される。
【００５９】
図５は図２Ａに図示された表示パネル、支持部材及びカバー部材の間の結合関係を示す分解斜視図である。
【００６０】
図５を参照すれば、カバー部材５１０及び支持部材５３０が表示パネル５２０と結合されて表示パネル５２０の形状が維持される。この実施形態では表示パネル５２０の形状が維持されるためにカバー部材５１０及び支持部材５３０の各々は第１区間Ｓ１乃至第３区間Ｓ３で表示パネル５２０に対応する形状を有する。
【００６１】
より詳細には、この実施形態では支持部材５３０は第１支持部５３０−１、第２支持部５３０−２、第３支持部５３０−３及び第４支持部５３０−４を含み、第１支持部５３０−１及び第２支持部５３０−２は表示パネル５２０の長辺Ｅ１に沿った端部を支持し、第３支持部５３０−３及び第４支持部５３０−４は表示パネル５２０の短辺Ｅ２に沿った端部を支持する。
【００６２】
支持部材５３０が上述した構造を有する場合に、表示パネル５２０の短辺Ｅ２の形状と対応するように第３支持部５３０−３及び第４支持部５３０−４の各々は第２方向ＤＲ２に沿って延長される。一方、表示パネル５２０の長辺Ｅ１の形状と対応するように第１支持部５３０−１及び第２支持部５３０−２の各々は第１方向ＤＲ１に沿って部分的に曲がった形状を有する。
【００６３】
より詳細には、第１支持部５３０−１及び第２支持部５３０−２の各々を第１区間Ｓ１に対応する第１フレーム５３０ａ、第２区間Ｓ２に対応する第２フレーム５３０ｂ、及び第３区間Ｓ３に対応する第３フレーム５３０ｃに区分する場合、第１フレーム５３０ａ及び第３フレーム５３０ｃの各々は第１平坦部Ｐ１及び第２平坦部Ｐ３のように直線形状に延長された形状を有する。一方、第２フレーム５３０ｂは屈曲部Ｐ２のように第１方向ＤＲ１に沿って曲がった形状を有する。この実施形態では第２フレーム５３０ｂの曲率半径は屈曲部Ｐ２の曲率半径と同一である。
【００６４】
カバー部材５１０は支持部材５３０のように部分的に曲がった形状を有する。より詳細には、カバー部材５１０は第１カバー部５１０−１、第２カバー部５１０−２、第３カバー部５１０−３及び第４カバー部５１０−４を含み、第１カバー部５１０−１及び第２カバー部５１０−２の各々は表示パネル５２０の長辺Ｅ１の端部をカバーし、第３カバー部５１０−３及び第４カバー部５１０−４の各々は表示パネル５２０の短辺Ｅ２の端部をカバーする。
【００６５】
表示パネル５２０の短辺Ｅ２の形状に対応するように第３カバー部５１０−３及び第４カバー部５１０−４の各々は第２方向ＤＲ２に沿って延長される。一方、表示パネル５２０の長辺Ｅ１の形状に対応するように第１カバー部５１０−１及び第２カバー部５１０−２の各々は第１方向ＤＲ１に沿って部分的に曲がった形状を有する。
【００６６】
より詳細には、第１カバー部５１０−１及び第２カバー部５１０−２の各々を第１区間Ｓ１に対応する第４フレーム５１０ｄ、第２区間Ｓ２に対応する第５フレーム５１０ｅ、及び第３区間Ｓ３に対応する第６フレーム５１０ｆに区分する場合、第４フレーム５１０ｄ及び第６フレーム５１０ｆの各々は第１平坦部Ｐ１及び第２平坦部Ｐ３のように直線形状に延長された形状を有する。一方、第５フレーム５１０ｅは屈曲部Ｐ２のように第１方向ＤＲ１に沿って曲がった形状を有する。この実施形態では第５フレーム５１０ｅの曲率半径は屈曲部Ｐ２の曲率半径と同一である。
【００６７】
図６Ａは本発明の他の実施形態による曲面表示装置が有する表示パネルの斜視図であり、図６Ｂは図６Ａに図示された表示パネルの側面図である。図６Ａ及び図６Ｂの説明において、先に説明された構成要素に対しては図面符号を併記し、構成要素に対する重複された説明は省略する。
【００６８】
図６Ａ及び図６Ｂを参照すれば、表示パネル５２０−１は第１方向ＤＲ１に沿って曲がった形状を有し、表示パネル５２０−１の長辺Ｅ１−１が第１方向ＤＲ１に沿って曲がっている。また、表示パネル５２０−１の短辺Ｅ２が第１方向ＤＲ１と垂直である第２方向ＤＲ２に沿って延長された直線形状を有する。
【００６９】
この実施形態では、表示パネル５２０−１は第２区間Ｓ２に位置して第１曲率半径で曲がった屈曲部Ｐ２、第１区間Ｓ１に位置して第１曲率半径より大きい第２曲率半径で曲がった第１補助屈曲部Ｐ１−１及び第３区間Ｓ３に位置して第２曲率半径で曲がった第２補助屈曲部Ｐ３−１を含む。
【００７０】
表示パネル５２０−１が上述した構造を有する場合、第１区間Ｓ１で長辺Ｅ１−１は第１補助曲線ＳＣＬ１として定義され、第２区間Ｓ２で長辺Ｅ１−１は曲線ＭＣＬとして定義され、第３区間Ｓ３で長辺Ｅ１−１は第２補助曲線ＳＣＬ２として定義される。また、曲線ＭＣＬは第１曲率半径で曲がり、第１補助曲線ＳＣＬ１及び第２補助曲線ＳＣＬ２の各々は第２曲率半径で曲がる。
【００７１】
この実施形態では、第２曲率半径は第１曲率半径より大きくなる。例えば、第１曲率半径は１メートル以上１０メートル以下であり、第２曲率半径は第１曲率半径の５倍以上１００、０００倍以下である。
【００７２】
先に図３Ａ及び図３Ｂを参照して説明されたように、第１仮想線ＬＮ１、仮想曲線ＬＮ２及び第２仮想線ＬＮ３が定義される場合、第１補助屈曲部Ｐ１−１及び第２補助屈曲部Ｐ３−１の各々は第１平坦部（図３ＢのＰ１）又は第２平坦部（図３ＢのＰ３）より大きい曲率半径で曲がった形状を有するので、側面図において第１補助曲線ＳＣＬ１から延長された第１仮想曲線ＬＮ４は第１仮想線ＬＮ１及び仮想曲線ＬＮ２の間に位置し、側面図において第２補助曲線ＳＣＬ２から延長された第２仮想曲線ＬＮ５は仮想曲線ＬＮ２及び第２仮想線ＬＮ３の間に位置する。
【００７３】
第１区間Ｓ１の第１長さＬ１−１が定義され、第２区間Ｓ２の第２長さＬ２が定義され、第３区間Ｓ３の第３長さＬ３−１が定義されれば、この実施形態では側面図において第１長さＬ１−１、第２長さＬ２、及び第３長さＬ３−１の合計に対する第１長さＬ１−１及び第３長さＬ３−１の各々の長さの比率は１％以上３５％以下であり、より詳細には比率は１０％以上２５％以下である。この実施形態で比率が上述した範囲に定義される理由は先に図３Ａ及び図３Ｂを参照して説明された直線区間比率の範囲が定義された理由と同じである。
【００７４】
この実施形態では、表示パネル５２０−１は中心ラインＣＬに対して対称である形状を有する。したがって、第１補助屈曲部Ｐ１−１は屈曲部Ｐ２を介して第２補助屈曲部Ｐ３−１と対称である形状を有する。つまり、第１長さＬ１−１は第３長さＬ３−１と同一である。
【００７５】
この実施形態で表示パネル５２０−１は屈曲部Ｐ２より大きい曲率半径で曲がった第１補助屈曲部Ｐ１−１及び第２補助屈曲部Ｐ３−１を包含するので、先に図３Ａ及び図３Ｂを参照して説明された第１平坦部及び第２平坦部（図３ＡのＰ１、Ｐ３）によって得られる効果と類似し、第１補助屈曲部Ｐ１−１及び第２補助屈曲部Ｐ３−１によって表示パネル５２０−１の両エッジ部に集中されるストレスが低減される。したがって、表示パネル５２０−１の両エッジ部を透過する光に対して位相差が生じることを防止することで、表示パネル５２０−１の表示品質が低下することを防止することができる。
【００７６】
図７Ａは本発明の他の実施形態による曲面表示装置が有する表示パネル、支持部材及びカバー部材の間の結合関係を示す分解斜視図であり、図７Ｂは図７ＡのＩＩ−ＩＩ’に沿って切断した断面を示す断面図である。図７Ａ及び図７Ｂの説明において、先に説明された構成要素に対しては図面符号を併記し、構成要素に対する重複された説明は省略される。
【００７７】
図７Ａ及び図７Ｂを参照すれば、曲面表示装置は第１スペーサーＳＰ−１及び第２スペーサーＳＰ−２をさらに含む。
【００７８】
図５に図示された実施形態ではカバー部材（図５の５１０）及び支持部材（図５の５３０）の各々は表示パネル５２０の形状に対応するように曲がるか、又はは直線形状に延長された形状を有するが、図７Ａ及び図７Ｂに図示された実施形態ではカバー部材５１０−１０及び支持部材５３０−１０の各々は第１区間Ｓ１乃至第３区間Ｓ３に対応して第１方向ＤＲ１に一律的に曲がった形状を有する。この実施形態では、カバー部材５１０−１０及び支持部材５３０−１０の各々は表示パネル５２０の屈曲部Ｐ２が曲がった曲率半径と略同一の曲率半径で曲がっている。
【００７９】
カバー部材５１０−１０及び支持部材５３０−１０は上述した構造を有するが、表示パネル５２０の全体が所定の曲率半径で一律的に曲がらず、表示パネル５２０は第１区間Ｓ１及び第３区間Ｓ３で第１平坦部Ｐ１及び第２平坦部Ｐ３を含む。したがって、第１区間Ｓ１及び第２区間Ｓ２の間の境界又は第２区間Ｓ２及び第３区間Ｓ３の間の境界に対応して表示パネル５２０の上部及び下部にギャップが発生される。より詳細には、図７Ｂに示したように、第１区間Ｓ１でカバー部材５１０−１０の第２カバー部５１０−２’及び表示パネル５２０との間に第１ギャップＧＰ１が形成され、第１区間Ｓ１及び第２区間Ｓ２で支持部材５３０−１０の第２支持部５３０−２’及び表示パネル５２０との間に第２ギャップＧＰ２が形成される。この実施形態では第１ギャップＧＰ１に第１スペーサーＳＰ−１が介在され、第２ギャップＧＰ２に第２スペーサーＳＰ−２が配置される。
【００８０】
したがって、第１スペーサーＳＰ−１及び第２スペーサーＳＰ−２によってカバー部材５１０−１０、表示パネル５２０及び支持部材５３０−１０との間において、互いに接触する面積が増加し、その結果、カバー部材５１０−１０及び支持部材５３０−１０によって表示パネル５２０の平坦な形状及び曲がった形状がより強く維持される。
【００８１】
この実施形態では第１スペーサーＳＰ−１及び第２スペーサーＳＰ−２はシリコン及びゴムのように弾性を有する物質を含む、又は第１スペーサーＳＰ−１及び第２スペーサーＳＰ−２の各々は両面テープであってもよい。
【００８２】
図８Ａは本発明のその他の実施形態による曲面表示装置が有する表示パネル、支持部材、及びカバー部材の間の結合関係を示す分解斜視図であり、図８Ｂは図８ＡのＩＩＩ−ＩＩＩ’に沿って切断した断面を示す断面図である。図８Ａ及び図８Ｂの説明において、先に説明された構成要素に対しては図面符号を併記し、構成要素に対する重複された説明は省略する。
【００８３】
図８Ａ及び図８Ｂを参照すれば、図７Ａ及び図７Ｂを参照して説明した実施形態のように、第１区間Ｓ１乃至第３区間Ｓ３に対応してカバー部材５１０−２０及び支持部材５３０−２０の各々は第１方向ＤＲ１に沿って一律的に曲がった形状を有する。また、カバー部材５１０−２０及び支持部材５３０−２０の各々の曲率半径は表示パネル５２０の屈曲部Ｐ２の曲率半径と略同一である。
【００８４】
カバー部材５１０−２０及び支持部材５３０−２０は上述した構造を有するが、表示パネル５２０の全体が所定の曲率半径で曲がらず、表示パネル５２０は第１区間Ｓ１及び第３区間Ｓ３で第１平坦部Ｐ１及び第２平坦部Ｐ３を含むので、この実施形態では第１区間Ｓ１及び第３区間Ｓ３の各々と第２区間Ｓ２の境界付近で支持部材５３０−２０及びカバー部材５１０−２０の各々は表示パネル５２０と密着するように厚さが変動している。
【００８５】
この実施形態では、第２区間Ｓ２に対応するカバー部材５１０−２０の一部分の第１厚さＴ１は、第１区間Ｓ１に対応するカバー部材５１０−２０の他の部分の第２厚さＴ２より小さい。また、第１区間Ｓ１及び第２区間Ｓ２の境界に対応する支持部材５３０−２０の一部分の第３厚さＴ３は、支持部材５３０−２０の他の部分の第４厚さＴ４より大きい。
【００８６】
カバー部材５１０−２０及び支持部材５３０−２０が上述した構造を有する場合に、カバー部材５１０−２０、表示パネル５２０及び支持部材５３０−２０との間に互いに接触する面積が増加するので、カバー部材５１０−２０及び支持部材５３０−２０によって表示パネル５２０の平坦な形状及び曲がった形状がより強く維持される。
【００８７】
図９は本発明のその他の実施形態による曲面表示装置が有する表示パネルの斜視図である。図９の説明において、先に説明された構成要素に対しては図面符号を併記し、構成要素に対する重複された説明は省略される。
【００８８】
図９を参照すれば、曲面表示装置の表示パネル５２８は第１区間Ｓ１に位置する第１平坦部Ｐ１−２、第２区間Ｓ２に位置する屈曲部Ｐ２、及び第３区間Ｓ３に位置する第２平坦部Ｐ３を含む。
【００８９】
図５を参照して説明された実施形態では、第１平坦部（図５のＰ１）は屈曲部（図５のＰ２）を介して第２平坦部（図５のＰ３）と対称である形状を有するが、図９に図示された実施形態では第１平坦部Ｐ１−２は屈曲部Ｐ２を介して第２平坦部Ｐ３と非対称である形状を有する。この実施形態では、第１平坦部Ｐ１−２の大きさは第２平坦部Ｐ３の大きさより大きい。これによって第１区間Ｓ１の第１長さＬ１−２は第３区間Ｓ３の第３長さＬ３より大きい。
【００９０】
先の実施形態と同様に、この実施形態では側面図において第１長さＬ１−２、第２長さＬ２、及び第３長さＬ３の合計に対する第１長さＬ１−２及び第３長さＬ３の各々の長さの比を直線区間比率と定義する場合、直線区間比率は１％以上３５％以下であり、より詳細には直線区間比率は１０％以上２５％以下である。この実施形態で直線区間比率が上述した範囲に定義される理由は先に図３Ａ及び図３Ｂを参照して説明された直線区間比率の範囲が定義された理由と同じである。
【００９１】
この実施形態では表示パネル５２８の角と一対一で対応して結合される補助支持部材５９０がさらに提供される。支持部材５９０には表示パネル５２８の角が挿入される溝５９１が定義され、溝５９１に表示パネル５２８の角が挿入されて第１平坦部Ｐ１−２及び第２平坦部Ｐ３の平坦な形状がより容易に維持される。
【００９２】
この実施形態では表示パネル５２８は有機電界発光表示パネルであり、この場合に、表示パネル５２８は有機発光層ＥＭＬを含む第１基板５２６と、第１基板５２６と対向して結合される第２基板５２７と、を含む。有機発光層ＥＭＬは第１基板５２６に配置された第１電極（図示せず）及び第２電極（図示せず）の間に配置される。また、この実施形態では第１基板５２６はガラス基板又はプラスチック基板であり、第２基板５２７は有機発光層ＥＭＬをカバーして外部から有機発光層ＥＭＬを密封する封止基板である。
【００９３】
以上では本発明の望ましい実施形態を参照して説明したが、該当技術分野の熟練された当業者又は該当技術分野に通常の知識を有する者であれば、後述される特許請求の範囲に記載された本発明のマッピング及び技術領域から逸脱しない範囲内で本発明を多様に修正及び変形できることは理解できる。したがって、本発明の技術的範囲は明細書の詳細な説明に記載された内容に限定されることではなく、特許請求の範囲によって定まれなければならない。
【符号の説明】
【００９４】
６００：曲面表示装置
５１０：カバー部材
５２０：表示パネル
５３０：支持部材
５８０：収納部材
Ｓ１：第１区間
Ｓ２：第２区間
Ｓ３：第３区間
Ｐ１：第１平坦部
Ｐ２：屈曲部
Ｐ３：第２平坦部
【図１Ａ】
2015197680.tif 000004
【図１Ｂ】
2015197680.tif 000005
【図１Ｃ】
2015197680.tif 000006
【図２Ａ】
2015197680.tif 000007
【図２Ｂ】
2015197680.tif 000008
【図３Ａ】
2015197680.tif 000009
【図３Ｂ】
2015197680.tif 000010
【図４Ａ】
2015197680.tif 000011
【図４Ｂ】
2015197680.tif 000012
【図４Ｃ】
2015197680.tif 000013
【図４Ｄ】
2015197680.tif 000014
【図５】
2015197680.tif 000015
【図６Ａ】
2015197680.tif 000016
【図６Ｂ】
2015197680.tif 000017
【図７Ａ】
2015197680.tif 000018
【図７Ｂ】
2015197680.tif 000019
【図８Ａ】
2015197680.tif 000020
【図８Ｂ】
2015197680.tif 000021
【図９】
2015197680.tif 000022